(57)【要約】【課題】内容物の出し入れがランドセル本体を立てたままの姿勢で行うことができるランドセルを提供する。【解決手段】ランドセル１における蓋カバー８の背板部３から先端までの長さを、ランドセル本体７の上部開口を塞いだ状態でその先端がランドセル本体７の下面レベルに対応するように設定し、前記ランドセル本体７を構成する外側仕切り板部４の下部外面と蓋カバー８の先端部の重なる位置に施錠機構９を設ける。【選択図】図１
0003118921.tif 000002
【実用新案登録請求の範囲】
【請求項１】
背板部と外側仕切り板部の対向面間に両側の側壁部と底壁部を設けて上部が開口する収容容器に形成されたランドセル本体と、前記ランドセル本体の背板部から連なり、このランドセル本体の上部開口を開閉自在に塞ぐことができる蓋カバーを備え、前記ランドセル本体の上部開口を塞いだ状態の蓋カバーを施錠機構でランドセル本体に固定するようにしたランドセルにおいて、
前記蓋カバーの背板部から先端までの長さを、ランドセル本体の上部開口を塞いだ状態でその先端がランドセル本体の下面レベルに対応するように設定し、前記施錠機構を、ランドセル本体を構成する仕切り板部の下部外面と蓋カバーの先端部の重なる位置に設けたことを特徴とするランドセル。
【請求項２】
上記施錠機構が、仕切り板部の下部外面と蓋カバーの先端部の重なる位置で、仕切り板部と蓋カバーの幅方向中央部又は両端部の何れかに設けられていることを特徴とする請求項１に記載のランドセル。
【請求項３】
上記施錠機構が、回動操作可能な係止片を備え、上記仕切り板部の下部外面に固定した錠本体と、前記係止片に対して嵌挿可能な係止孔を備え、上記蓋カバーの先端部に固定した係止金具とで形成されていることを特徴とする請求項１又は２に記載のランドセル。
【請求項４】
上記蓋カバーが、外面に光表示部を備えていることを特徴とする請求項１乃至３の何れかに記載のランドセル。
【考案の詳細な説明】
【技術分野】
【０００１】
この考案は、ランドセル本体を立てたままの状態で蓋カバーを開閉でき、これにより、収納物の出し入れがランドセル本体を立てて行えるランドセルに関する。
【背景技術】
【０００２】
一般にランドセルは、左右一対の背負い帯を取付けた背板部と外側仕切り板部の対向面間に両側の側壁部と底壁部を設けて上部が開口する収容容器に形成されたランドセル本体と、前記ランドセル本体の背板部から連なり、このランドセル本体の上部開口を開閉自在に塞ぐことができる蓋カバーとからなり、前記ランドセル本体の上部開口を塞いだ状態の蓋カバーを施錠機構でランドセル本体に固定するようにした構造になっている。
【０００３】
上記施錠機構は、回動操作可能な係止片を備えた錠本体と、前記係止片に対して嵌挿可能な係止孔を有する係止金具の組合せによって形成されている。
【０００４】
従来のランドセルにおける施錠機構の取付け構造は、ランドセル本体の底壁部の下面に回動操作可能な係止片を備えた錠本体を固定し、蓋カバーの先端にランドセル本体の底に位置させるための延長帯を突出状に縫着し、この延長帯の先端に前記係止片に対して嵌挿可能な係止孔を有する係止金具を設け、ランドセル本体の底面で開錠と施錠を行うようになっている（例えば、特許文献１参照）。
【特許文献１】特開２００５−２３０１９６号公報
【考案の開示】
【考案が解決しようとする課題】
【０００５】
ところで、従来のランドセルは、ランドセル本体の底面で施錠機構の開錠と施錠を操作するようになっているので、内容物の出し入れを行うための蓋カバーの開閉には、ランドセル本体を横に倒して行う必要があり、このため、内容物の出し入れに手間がかかるという問題がある。
【０００６】
そこで、この考案の課題は、ランドセル本体を立てた状態のままで蓋カバーの開閉が行え、内容物の出し入れがランドセル本体を立てたままの姿勢で行うことができるランドセルを提供することにある。
【課題を解決するための手段】
【０００７】
上記のような課題を解決するため、この考案は、背板部と外側仕切り板部の対向面間に両側の側壁部と底壁部を設けて上部が開口する収容容器に形成されたランドセル本体と、前記ランドセル本体の背板部から連なり、このランドセル本体の上部開口を開閉自在に塞ぐことができる蓋カバーを備え、前記ランドセル本体の上部開口を塞いだ状態の蓋カバーを施錠機構でランドセル本体に固定するようにしたランドセルにおいて、前記蓋カバーの背板部から先端までの長さを、ランドセル本体の上部開口を塞いだ状態でその先端がランドセル本体の下面レベルに対応するように設定し、前記施錠機構を、ランドセル本体を構成する仕切り板部の下部外面と蓋カバーの先端部の重なる位置に設けた構成を採用したものである。
【０００８】
上記施錠機構が、仕切り板部の下部外面と蓋カバーの先端部の重なる位置で、仕切り板部と蓋カバーの幅方向中央部又は両端部の何れかに設けられているようにしたり、上記施錠機構が、回動操作可能な係止片を備え、上記仕切り板部の下部外面に固定した錠本体と、前記係止片に対して嵌挿可能な係止孔を備え、上記蓋カバーの先端部に固定した係止金具とで形成されるようにすることができ、また、上記蓋カバーが、外面に光表示部を備えている構造としてもよい。
【０００９】
ここで、上記施錠機構の錠本体は、仕切り板部の下部に固定するベース金具の外面に、係止片を水平と垂直の姿勢に回動操作可能となるよう取付けて形成され、上記蓋カバーを固定するには、ランドセル本体を立てた状態で、水平にした係止片に対して、蓋カバーに設けた係止金具の係止孔を嵌挿した後、係止片を垂直の姿勢に回動させるようにすればよい。
【考案の効果】
【００１０】
この考案によると、ランドセル本体の上部開口を塞いだ蓋カバーを、ランドセル本体に固定する施錠機構を、ランドセル本体を構成する仕切り板部の下部外面と蓋カバーの先端部の重なる位置に設けたので、ランドセルを立てた姿勢の状態で施錠機構が背板部と反対側の面で下部に位置することになり、このため、ランドセルを立てた姿勢の状態で施錠機構の開錠と施錠操作が可能になり、ランドセル本体に対する収容物の出し入れが、ランドセルを立てた姿勢で円滑に行えることになる。
【００１１】
また、蓋カバーを、背板部から先端までの長さが、ランドセル本体の上部開口を塞いで外側仕切り板部の外面に重なる状態で、自由端となるその先端がランドセル本体の下面レベルに対応するように設定することにより、従来蓋カバー先端に設ける延長帯が不要になり、その分だけ部品点数の削減とランドセル全体の軽量化が図れる。
【考案を実施するための最良の形態】
【００１２】
以下、この考案の実施の形態を添付図面に基づいて説明する。
【００１３】
図示のように、ランドセル１は、背負い面に左右一対の背負い帯２を取付けた背板部３と、この背板部３と対向する外側仕切り板部４と、前記背板部３と外側仕切り板部４の対向面間に設けた両側の側壁部５及び底壁部６とによって、上部が開口する収容容器となるランドセル本体７を形成し、このランドセル本体７の背板部３の上端に、このランドセル本体７の上部開口を開閉自在に塞ぐことができる蓋カバー８を設け、前記ランドセル本体７の上部開口を塞いだ状態の蓋カバー８を施錠機構９でランドセル本体７に固定することができる構造になっている。
【００１４】
上記施錠機構９は、図３乃至図５のように、ベース金具１０に９０°毎の回動操作可能な係止片１１を設けた錠本体１２と、前記係止片１１に対して嵌挿可能な係止孔１３を備えた係止金具１４とで形成されている。
【００１５】
上記蓋カバー８は、背板部３から先端までの長さが、ランドセル本体７の上部開口を塞いで外側仕切り板部４の外面に重なる状態で、自由端となるその先端がランドセル本体７の下面レベルに等しいかそれよりも少し短い長さに設定され、ランドセル本体７を立てて適宜設置面に置いたときに蓋カバー８の先端が設置面に当接して外側仕切り板部４から離れるというようなことのないようになっている。
【００１６】
前記施錠機構９は、ランドセル本体７の底部ではなく、背板部３と反対側の面、具体的には、ランドセル本体７を構成する外側仕切り板部４の下部外面と蓋カバー８の先端部の重なる位置に設けられている。
【００１７】
図１乃至図３に示す第１の実施の形態のランドセル１では、施錠機構９の錠本体１２が、外側仕切り板部４の下部外面に固定したベース金具１０の外面に、長方形の撮み部材となる係止片１１を水平と垂直の姿勢に係止できる回動操作可能な突出状に取付けて形成され、また、係止金具１４は、前記係止片１１に対して嵌挿可能な横長の角形係止孔１３を備え、上記蓋カバー８の先端部に角形係止孔１３が内外に貫通するようカシメ等によって固定されている。
【００１８】
上記施錠機構９によって、ランドセル本体７へ蓋カバー８を固定するには、ランドセル本体７を立てた状態で、図３（ａ）の一点鎖線のように、水平にした係止片１１に対して、係止金具１４の角形係止孔１３を嵌挿した後、同図実線のように係止片１３を垂直の姿勢に回動させることによって得られるようになっている。
【００１９】
図４と図５に示す第２の実施の形態のランドセル１では、施錠機構９の係止金具１４に対して係止片１１の外面への突出量を少なくして、物や人の一部が引っかかることのないようにするため、前記蓋カバー８に鋲等を用いて固定する係止金具１４の中央に外面から内方に向けて凹入する円形凹部１５を形成し、この円形凹部１５の中央部に縦長の角形係止孔１３を設け、また、ランドセル１の外側仕切り板部４に固定した錠本体１２の係止片１１が、角形係止孔１３に挿通した状態で円形凹部１５内に収まり、係止金具１４の外面に大きく突出しないように形成されている。
【００２０】
この施錠機構９によって、ランドセル本体７への蓋カバー８の固定は、ランドセル本体７を立てた状態で、縦にした係止片１１に対して、蓋カバー８の係止孔１３を嵌挿した後、係止片１１を水平の姿勢に回動させることによって得られるようになっている。
【００２１】
なお、何れの実施の形態においても、施錠機構９は、外側仕切り板部４と蓋カバー８の幅方向中央部に設けた例を示したが、施錠機構９を外側仕切り板部４と蓋カバー８の幅方向の両端部に設けるようにしてもよい。
【００２２】
また、何れの実施の形態においても、図１と図２のように、蓋カバー８の外面に光表示部１６を設けることができる。
【００２３】
この光表示部１６は、図１の場合、蓋カバー８の外面で先端縁から両側縁に沿って発光紐体を取付け、また、図２の例では、蓋カバー８の外面で先端縁に沿って発光紐体を取付けて構成されており、発光紐体は、革や樹脂の紐に夜光塗料や蓄光塗料を塗布や含漬させて形成されている。
【００２４】
上記光表示部１６は、図示例の取付け形状や構造に限定されるものではなく、例えば、光反射テープを蓋カバー８に貼付けるようにしてもよく、このように、蓋カバー８の外面に光表示部１６を設けると、夜間や暗所において光表示部１６が発光し、遠方からでも存在の確認が行え、交通事故等の防止に寄与することができる。
【００２５】
この考案のランドセルは、上記のような構成であり、図１や図２のように、ランドセル本体７を立てた姿勢の状態で施錠機構９が背板部３と反対側の面で下部に位置することになり、このため、図１と図２のように、ランドセル本体７を立てた姿勢の状態で施錠機構９の開錠と施錠操作が可能になり、ランドセル本体７に対する収容物の出し入れが、ランドセル１を立てた姿勢で円滑に行えることになる。
【００２６】
また、蓋カバー８の外面に光表示部１６を設けてあるので、ランドセル１を背負った状態で、夜間や暗所において光表示部１６が発光し、車両運転手が遠方からでもランドセル１を背負った子供の存在が確認でき、交通事故等の発生を防止できる。
【図面の簡単な説明】
【００２７】
【図１】この考案に係るランドセルの第１の実施の形態を示す斜視図
【図２】この考案に係るランドセルの第１の実施の形態を示す光表示部が異なる例の斜視図
【図３】（ａ）はこの考案に係るランドセルの第１の実施の形態を示す施錠機構の拡大した正面図、（ｂ）は（ａ）の矢印ｂ−ｂに沿う縦断側面図
【図４】この考案に係るランドセルの第２の実施の形態を示す施錠機構の拡大した斜視図
【図５】図４の矢印Ｖ−Ｖに沿う横断平面図
【符号の説明】
【００２８】
１        ランドセル
２        背負い帯
３        背板部
４        外側仕切り板部
５        側壁部
６        底壁部
７        ランドセル本体
８        蓋カバー
９        施錠機構
１０      ベース金具
１１      係止片
１２      錠本体
１３      係止孔
１４      係止金具
１５      円形凹部
１６      光表示部
【図１】
0003118921.tif 000003
【図２】
0003118921.tif 000004
【図３】
0003118921.tif 000005
【図４】
0003118921.tif 000006
【図５】
0003118921.tif 000007